(57)【特許請求の範囲】
【請求項１】
アルコール系溶剤としてＣ1〜Ｃ4の直鎖又は分岐を有する１価の飽和アルコールの１種若しくは２種以上、炭化水素系溶剤としてＣ5〜Ｃ9の炭化水素系溶剤の１種若しくは２種以上および揮発抑制剤としてジメチルスルホキシド、ウンデカン、エチレングリコールまたはプロピレングリコールから選ばれる１種若しくは２種以上を含有する染み抜き剤組成物。
【請求項２】
アルコール系溶剤と炭化水素系溶剤を１０：１ないし１：１０の割合で含有するものである請求項第１項記載の染み抜き剤組成物。
【請求項３】
更に界面活性剤が添加されているものである請求項第１項または第２項記載の染み抜き剤組成物。
【請求項４】
揮発抑制剤を１〜１５容量％含有するものである請求項第１項ないし第３項の何れかの項記載の染み抜き剤組成物。
【請求項５】
界面活性剤を０.０１〜５容量％含有するものである請求項第３項記載の染み抜き剤組成物。
【発明の詳細な説明】
【０００１】
【発明の属する技術分野】
本発明は、ソースや食べこぼしのしみあるいは口紅などが誤って衣類に付着した際に、これらの汚れを除去するための染み抜き剤組成物に関する。
【０００２】
【従来の技術】
古くから、油性の汚れ等を落とすための染み抜き剤としては、ベンジンや、クリーニング溶剤等としても知られる有機塩素系溶剤（例えば、１,１,１−トリクロロエタン等）が使用されている。
【０００３】
これらの染み抜き剤は、特定の汚れには効果があるが、食べこぼしによる染みなどには効果が低かった。また、１,１,１−トリクロロエタンはオゾン層を破壊することが指摘されており、また、発ガン性物質である疑いもあるなど安全性にも問題があり、これらの使用は好ましくないとされていた。
【０００４】
近年、それらに代わってエタノール等のアルコール系の溶剤を使用した染み抜き剤が用いられている。しかし、このアルコール系溶剤も特定の汚れに対して効果はあるものの、サラダオイル等の汚れに対しては効果が低かった。
【０００５】
そこでこのアルコール系の溶剤に、例えば１０％以上の大量の界面活性剤を添加した染み抜き剤が開発されている。しかし、このタイプの染み抜き剤では、揮発しない界面活性剤が布地にそのまま残り、汚れが広がったまま衣類に残ってしまういわゆる「輪染み」という現象が生じるという問題があった。
【０００６】
【発明が解決しようとする課題】
したがって、安全で、種々の汚れに対して優れた染み抜き効果があり、また輪染みにならない染み抜き剤の開発が望まれていた。
【０００７】
【問題を解決するための手段】
本発明者は、上記課題を解消すべく、種々の溶剤の染み抜き効果について鋭意研究を行った結果、アルコール系溶剤に炭化水素系溶剤を添加することにより、輪染み現象の起こらない優れた染み抜き効果を有する染み抜き剤が得られることを見出した。また、この染み抜き剤に界面活性剤や揮発抑制剤を添加するればより優れた染み抜き効果が得られることを見出し、本発明を完成した。
【０００８】
すなわち、本発明はアルコール系溶剤と炭化水素系溶剤を含有する染み抜き剤組成物を提供するものである。
【０００９】
また、本発明は、上記染み抜き剤組成物において、更に界面活性剤および／または揮発抑制剤が添加された染み抜き剤組成物を提供するものである。
【００１０】
【発明の実施の形態】
本発明の染み抜き組成物において用いられるアルコール系溶剤としては、特に限定されないが、好ましくはＣ1〜Ｃ4の直鎖又は分岐を有する１価の飽和アルコールである。Ｃ5以上のアルコールは揮発しにくいため、輪染み防止効果の点ではあまり好ましくない。
【００１１】
好ましいアルコール系溶剤の具体例としては、メタノール、エタノール、イソプロパノール、１−プロパノール、ｎ−ブタノール、イソブタノール、２−ブタノール、３−ブタノール等の１種若しくは２種以上の組み合わせを挙げることができる。これらのうち、価格、におい、揮発性、安全性、汚れ落ちの点でエタノールおよびイソプロパノールがより好ましい。
【００１２】
一方、本発明で用いられる炭化水素系溶剤も特に限定されないが、好ましくはＣ5〜Ｃ9の炭化水素系溶剤であり、直鎖若しくは分岐を有する飽和又は不飽和の炭化水素系溶剤、又は分岐鎖や不飽和結合を有しても良い環状炭化水素系溶剤である。Ｃ４以下の炭化水素は気体であり、また、Ｃ10以上は揮発しにくく、輪染み防止効果は十分とはいえない。
【００１３】
好ましい炭化水素系容剤の具体例としては、ｎ−ヘキサン、シクロヘキサン、ｎ−ヘプタン、ｎ−オクタン、イソオクタン等の１種若しくは２種以上の組み合わせを挙げることができる。これらの内うち、価格、におい、揮発性、汚れ落ち、収納容器の選択性の点でイソオクタンがより好ましい。
【００１４】
本発明の染み抜き剤組成物は、常法に従ってアルコール系溶剤と炭化水素系溶剤を混合することにより調製でき、その混合比は特に制約されるものではないが、１０：１〜１０：１程度、特に４：１〜１：３程度とすることが好ましい。
【００１５】
更に本発明の染み抜き剤組成物には、その効果を高めるため、界面活性剤を添加することもできる。この界面活性剤の添加により、溶剤の汚れや繊維への浸透力が大きくなり、汚れを取りやすくなる。
【００１６】
本発明において使用される界面活性剤としては、アニオン系界面活性剤、カチオン系界面活性剤、ノニオン系界面活性剤、両性界面活性剤の１種若しくは２種以上が挙げられる。また、この界面活性剤の添加量は０.０１％〜５％程度が好ましい。界面活性剤の添加量が０.０１％より少ない場合は、その作用が認められなくなり、また、５％を越える場合は繊維に界面活性剤が残り、輪染みの原因となるおそれがある。
【００１７】
更にまた、本発明の染み抜き剤組成物には揮発抑制剤を添加することもできる。この揮発抑制剤は、染み抜き剤組成物の早期揮発による輪染みの発生を防止する作用を有するものである。
【００１８】
この揮発抑制剤としては、沸点が１００℃〜２５０℃程度の溶剤が挙げられる。沸点が２５０℃を越える溶剤では、逆に繊維に残ってしまい輪染みの原因になるおそれがあり、また、沸点が１００℃より低い溶剤では、揮発抑制剤としての効果が得られないことがある。
【００１９】
本発明において用いられる揮発抑制剤の具体例としては、ジメチルスルホキシド（ＤＭＳＯ）、ウンデカン等の炭化水素系溶剤、エチレングリコール、プロピレングリコール等のグリコール系溶剤を挙げることができる。この揮発抑制剤の添加量は１％〜１５％程度が好ましい。１％より少ないと揮発抑制剤添加による効果が認められず、逆に１５％を越えると揮発が遅くなりすぎ、輪染みを生じる場合がある。
【００２０】
以上の本発明の染み抜き剤組成物には、上記した成分以外の成分を、その効果を損なわない範囲で添加することができる。添加しうる成分としては、例えば、香料、消臭剤、除菌剤等を挙げることができる。
【００２１】
本発明の染み抜き組成物は、従来の方法に従い、その溶液自体を綿、布、不織布あるいは紙に含浸させ、染みの部分に付着させて染みを取り除くことができるが、例えば、図１に示すような形状の染み取り具に充填し、使用することもできる。この染み取り具は、染み取り剤組成物を充填する筒体１と、染み取り組成物を染みに付着させるための塗布部２よりなるものである。この染み取り具において、筒体１は、金属や、充填する染み取り剤組成物に溶解しないプラスチックで形成され、また、塗布部２は、フェルト、ポリエステル繊維等で形成されている。このような染み抜き具を用いることにより、染みに部分だけ染み取り剤組成物を付着させることが可能となる。
【００２２】
【実施例】
次に実施例を挙げ、本発明を更に詳しく説明するが、本発明はこれら実施例に何ら制約されるものではない。
【００２３】
実 施 例  １
アルコール系溶剤と炭化水素系溶剤を用い、後記表１に示す組成の染み抜き剤組成物を調製し、得られた染み抜き剤組成物について、その染み抜き効果を試験した。
【００２４】
染み抜き効果を調べるためのモデル汚れ布としては、綿１００％の白色布地にサラダ油（油性汚れ）、ボールペン（油性汚れ）およびミートソース（両性汚れ）の汚れをそれぞれ０.５ｍｌ滴下後、１時間放置したものを用いた。また、各染み取り剤組成物は、図１で示したようなペン型しみとり具に充填し、その塗布部（ペン先）を汚れ布の汚れの周囲に当接させて押圧し、環状に浸透させた後、汚れ部分にきれいな布（当て布）を当て、汚れ布の裏側からしみとり具のペン先で叩き、汚れを当て布に移すことによりしみとりを行った。しみとり後の汚れ落ちおよび、輪染みについての評価は、下記の基準により行った。この結果も表１に併せて示す。
【００２５】
（ 評 価 基 準 ）
0004406138.tif 000002
【００２６】
0004406138.tif 000003
【００２７】
（ 結  果 ）
【表１】
0004406138.tif 000004
【００２８】
実 施 例  ２
アルコール系溶剤および炭化水素系溶剤他、界面活性剤を用いて、表２に示す染み抜き剤組成物を調製した。得られた染み抜き剤組成物について、実施例１と同様にして染み抜き効果を試験した。この結果も表２に併せて示す。
【００２９】
（ 結  果 ）
【表２】
0004406138.tif 000005
【００３０】
実 施 例  ３
アルコール系溶剤および炭化水素系溶剤他、揮発抑制剤を用いて、表３に示す染み抜き剤組成物を調製した。得られた染み抜き剤組成物について、実施例１と同様にして染み抜き効果を試験した。この結果も表３に併せて示す。
【００３１】
（ 結  果 ）
【表３】
0004406138.tif 000006
【００３２】
実 施 例  ４
アルコール系溶剤および炭化水素系溶剤他、界面活性剤と揮散抑制剤を用いて、表４に示す染み抜き剤組成物を調製した。得られた染み抜き剤組成物について、実施例１と同様にして染み抜き効果を試験した。この結果も表４に併せて示す。
【００３３】
（ 結  果 ）
【表４】
0004406138.tif 000007
【００３４】
比 較 例  １
アルコール系溶剤、炭化水素系溶剤もしくは１,１,１−トリクロロエタンを用い、表５に示す染み抜き剤を調製した。得られた染み抜き剤について、実施例１と同様にして染み抜き効果を試験した。この結果も表５に併せて示す。
【００３５】
（ 組  成 ）
【表５】
0004406138.tif 000008
【００３６】
【発明の効果】
本発明の染み抜き剤は、油性汚れを中心とする汚れを有効に落とすことができ、しかも輪染みの発生も少ないものである。特に、界面活性剤と揮散抑制剤の両者を更に添加した染み抜き剤では、極めて優れた染み抜き作用を示し、しかも輪染みの発生のないものであった。
【図面の簡単な説明】
【図１】  本発明の染み取り剤組成物を充填することのできる染み取り具の縦断面図。
【符号の説明】
１ … … 筒体
２ … … 塗布部
以    上
【図１】
0004406138.tif 000009